(57)【要約】      （修正有）【課題】サービス制御装置において、実際の通話状態とサービス制御装置における通話状態との間の整合を図るタイミングを拡大する。【解決手段】サービス制御装置は、各加入者について、加入者の通話状態を記憶し、移動機の電源が投入された旨の通知を受けた場合には、該移動機の加入者の通話状態を非通話中にする。【効果】交換機が再開された場合、サービス制御装置において、再開した交換機が制御する加入者の通話状態のみを非通話中にすることにより、実際の通話状態とサービス制御装置における通話状態との間の整合を図ることができる。【選択図】          図６
2005051770.tif 000002
【特許請求の範囲】
【請求項１】
サービス制御装置であって、
各加入者について、加入者の通話状態を記憶する記憶手段と、
前記加入者の通話状態を制御する制御手段と
を備え、前記制御手段は、移動機の電源が投入された旨の通知を受けた場合には、前記記憶手段にアクセスして、該移動機の加入者の通話状態を非通話中にすることを特徴とするサービス制御装置。
【請求項２】
請求項１に記載のサービス制御装置と、
前記サービス制御装置と通信を行い、加入者の通話を制御する交換機と、
加入者が通話に用いる移動機と
を備えたことを特徴とする移動通信システム。
【請求項３】
各加入者について、加入者の通話状態を記憶する記憶手段を備えたサービス制御装置におけるサービス制御方法であって、
移動機の電源が投入された旨の通知を受けた場合に、前記記憶手段にアクセスして、該移動機の加入者の通話状態を非通話中にすることを特徴とするサービス制御方法。
【発明の詳細な説明】
【技術分野】
【０００１】
本発明はサービス制御装置および方法、ならびに該装置を備えた移動通信システムに関し、より具体的には、実際の通話状態とサービス制御装置における通話状態との間の整合性を向上させるサービス制御装置および方法、ならびに該装置を備えた移動通信システムに関する。
【背景技術】
【０００２】
加入者（ユーザー）が発信、もしくは着信される際には、接続前に該当加入者が既に通話中かどうかを調査する。通話状態については、無線信号を利用して移動機（例えば携帯電話）の状態を調べれば判定可能であるが、電波資源および交換機処理能力の有効利用の観点から、該当加入者を収容するサービス制御装置、例えばＭ−ＳＣＰ内のＨＬＲ（ホームロケーションレジストリ）上にＬＭ(Line Memory)を用意し、ＬＭ状態を管理することで、通話状態を参照可能とするのが一般的である。ここで、Ｍ−ＳＣＰとは移動通信方式におけるサービス制御装置のことであり、ＨＬＲとはＭ−ＳＣＰ内部の加入者データを蓄積、管理する領域のことである。また、ＬＭとは加入者の通話状態を表すデータであり、Ｍ−ＳＣＰのＨＬＲに保持される。ＬＭは通話開始時に通話中と設定され、通話終了時に非通話中と設定される。
【０００３】
加入者が使用している移動機の通話は、加入者の在圏する位置によって異なる特定の交換機により制御されている。そのため、制御している交換機が再開すると、通話が破棄され、通話は強制終了される。再開は例えば、ソフトウェアシステムの全体あるいは一部に障害が発生した場合に、システム全体あるいは一部を再起動することにより行う。これにより、障害要因を取り除いて速やかにシステムを正常な状態に復旧させる。
【０００４】
従来、Ｍ−ＳＣＰは交換機からの再開通知を受けると、ＨＬＲ内の加入者のＬＭを一律で非通話中に設定していた。上述のように通話終了時にはＬＭを非通話中に設定するからである。
【発明の開示】
【発明が解決しようとする課題】
【０００５】
しかし、サービス制御装置における通話状態（ＨＬＲ配下の加入者のＬＭ）を一律に非通話中に設定すると、通話状態（ＬＭ）を更新する必要がない加入者、すなわち、再開した交換機（再開交換機）以外の交換機が制御している加入者の通話状態までが非通話中とされてしまい、再開交換機が制御する通話以外の通話について、実際の移動機の通話状態とサービス制御装置における通話状態との間で不整合が生じてしまう。
【０００６】
実際の通話状態とサービス制御装置における通話状態とが不整合となった加入者は、通話中であるにもかかわらず、別の通話を受けつけることが可能であると交換機に認識される。そのため、留守番電話やキャッチホン機能等、通話中であれば作動するはずの付加サービスが動作しないケースが生ずる。
【０００７】
また、従来、サービス制御装置において、交換機の再開により、通話状態を非通話中にする処理を行っている最中は、実際の通話状態とサービス制御装置における通話状態との整合を考慮して、通話要求を受け付けなかった。
【０００８】
さらに、従来、サービス制御装置は、移動機の電源が投入された旨の通知を受けても、その移動機の加入者の通話状態を非通話中にすることはしていなかった。
【０００９】
そこで、本発明の目的は、交換機が再開された場合、サービス制御装置において、再開した交換機が制御する加入者の通話状態のみを非通話中にすることにより、実際の通話状態とサービス制御装置における通話状態との間の整合を図ることである。
【００１０】
また、サービス制御装置において、交換機の再開により、通話状態を非通話中にする処理を行っている最中でも、通話要求を受け付けつけるようにしつつ、実際の通話状態とサービス制御装置における通話状態との間の整合を図ることである。
【００１１】
さらに、サービス制御装置において、移動機の電源が投入された旨の通知を受けた場合には、その移動機の加入者の通話状態を非通話中にすることにより、実際の通話状態とサービス制御装置における通話状態との間の整合を図るタイミングを拡大することである。
【課題を解決するための手段】
【００１２】
上記目的を達成するために、本発明の一側面において、サービス制御装置は、各加入者について、加入者の通話状態、および加入者の通話を制御する交換機を記憶する記憶手段と、前記加入者の通話状態を制御する制御手段とを備え、前記制御手段は、交換機から再開の通知を受けた場合には、前記記憶手段にアクセスして、再開した交換機が制御する加入者の通話状態のみを非通話中にする再開時クリア処理を行うことを特徴とする。
【００１３】
ここで、前記制御手段は、前記再開時クリア処理の最中に、再開した交換機が制御する、前記再開時クリア処理を行っていない加入者について通話要求が発生した場合には、該通話要求を認める旨の応答を行い、該通話要求があった加入者の通話状態を通話中にし、該通話要求があった加入者を前記再開時クリア処理の対象から外すものとすることができる。
【００１４】
ここで、前記制御手段は、移動機の電源が投入された旨の通知を受けた場合には、前記記憶手段にアクセスして、該移動機の加入者の通話状態を非通話中にするものとすることができる。
【００１５】
本発明の一側面において、サービス制御装置は、各加入者について、加入者の通話状態を記憶する記憶手段と、前記加入者の通話状態を制御する制御手段とを備え、前記制御手段は、交換機から再開の通知を受けた場合には、前記記憶手段にアクセスして、加入者の通話状態を非通話中にする再開時クリア処理を行い、該再開時クリア処理の最中に、該再開時クリア処理を行っていない加入者について通話要求が発生した場合には、該通話要求を認める旨の応答を行い、該通話要求があった加入者の通話状態を通話中にし、該通話要求があった加入者を前記再開時クリア処理の対象から外すことを特徴とする。
【００１６】
本発明の一側面において、サービス制御装置は、各加入者について、加入者の通話状態を記憶する記憶手段と、前記加入者の通話状態を制御する制御手段とを備え、前記制御手段は、移動機の電源が投入された旨の通知を受けた場合には、前記記憶手段にアクセスして、該移動機の加入者の通話状態を非通話中にすることを特徴とする。
【００１７】
本発明の一側面において、移動通信システムは、前記サービス制御装置と、前記サービス制御装置と通信を行い、加入者の通話を制御する交換機と、加入者が通話に用いる移動機とを備えたことを特徴とする。
【００１８】
本発明の一側面において、各加入者について、加入者の通話状態、および加入者の通話を制御する交換機を記憶する記憶手段を備えたサービス制御装置におけるサービス制御方法は、交換機から再開の通知を受けた場合に、前記記憶手段にアクセスして、再開した交換機が制御する加入者の通話状態のみを非通話中にする再開時クリア処理を行うことを特徴とする。
【００１９】
本発明の一側面において、各加入者について、加入者の通話状態を記憶する記憶手段を備えたサービス制御装置におけるサービス制御方法は、交換機から再開の通知を受け、前記記憶手段にアクセスして、加入者の通話状態を非通話中にする再開時クリア処理を行っている最中に、該再開時クリア処理を行っていない加入者について通話要求が発生した場合に、該通話要求を認める旨の応答を行い、該通話要求があった加入者の通話状態を通話中にし、該通話要求があった加入者を前記再開時クリア処理の対象から外すことを特徴とする。
【００２０】
本発明の一側面において、各加入者について、加入者の通話状態を記憶する記憶手段を備えたサービス制御装置におけるサービス制御方法は、移動機の電源が投入された旨の通知を受けた場合に、前記記憶手段にアクセスして、該移動機の加入者の通話状態を非通話中にすることを特徴とする。
【発明の効果】
【００２１】
本発明によれば、交換機が再開された場合、サービス制御装置において、再開した交換機が制御する加入者の通話状態のみを非通話中にすることにより、実際の通話状態とサービス制御装置における通話状態との間の整合を図ることができる。
【００２２】
また、サービス制御装置において、交換機の再開により、通話状態を非通話中にする処理を行っている最中でも、通話要求を受け付けつけるようにしつつ、実際の通話状態とサービス制御装置における通話状態との間の整合を図ることができる。
【００２３】
さらに、サービス制御装置において、移動機の電源が投入された旨の通知を受けた場合には、その移動機の加入者の通話状態を非通話中にすることにより、実際の通話状態とサービス制御装置における通話状態との間の整合を図るタイミングを拡大することができる。
【発明を実施するための最良の形態】
【００２４】
以下、図面を参照しつつ本発明の実施の形態について詳しく説明する。
【００２５】
図１は、本発明の実施形態に係る移動通信システムの例を示す図である。本実施形態に係る移動通信システムは、サービス制御装置（Ｍ−ＳＣＰ）１０−１、１０−２、加入者交換機（ＭＬＳ）２０−１、２０−２、関門中継交換機（ＭＧＳ）３０、基地局（ＢＳ）４０−１、５０−１、移動機（ＭＳ）５０−１、５０−２、およびネットワーク（例えば、Ｎｏ７共通線信号網）６０を備える。本実施形態に係る加入者交換機２０−１、２０−２は、移動通信方式加入者階梯交換機であり、呼の制御を行う。また、加入者交換機２０−１、２０−２は、サービス制御装置１０−１、１０−２と通信を行い、加入者データの参照を行なう。
【００２６】
ここで、移動機５０−１が移動機５０−２と通話するために発信した場合を考える。移動機５０−１が発した信号は、基地局４０−１経由で、移動機５０−１の呼を制御している加入者交換機２０−１に伝えられる。加入者交換機２０−１は、加入者番号（電話番号）から移動機５０−１を所有する加入者Ａの加入者データを収容するサービス制御装置１０−１を判断する。そして、ネットワーク６０を介して、サービス制御装置１０−１に、加入者Ａが発信するための条件を問い合わせる（発信情報読出要求）。サービス制御装置１０−１は、加入者交換機２０−１に加入者Ａの加入者データを送信する（発信情報読出応答）。そして、加入者Ａが発信可能な条件を満たしていれば、加入者Ａの通話状態（ＬＭ）を通話中（塞がり）に設定する。加入者交換機２０−１は、発信した加入者Ａの加入者データを確認した後、移動機５０−２を所有する加入者Ｂの加入者データを収容するサービス制御装置１０−２に加入者データを問い合わせる（着信情報読出要求）。ここでは、加入者ＡおよびＢがそれぞれ異なるサービス制御装置１０−１および１０−２に収容されているが、同じサービス制御装置に収容されている場合もある。サービス制御装置１０−２は、加入者交換機２０−１に加入者Ｂの加入者データを送信する（着信情報読出応答）。そして、加入者Ｂが着信可能な条件を満たしていれば、加入者Ｂの通話状態（ＬＭ）を通話中（塞がり）に設定する。加入者交換機２０−１は、加入者ＡおよびＢがともに通話できることを確認した後、移動機５０−２の呼を制御する加入者交換機２０−２に接続する。加入者交換機２０−２は、移動機５０−２と通信を行なう基地局４０−２経由で移動機５０−２を呼び出し、通話が成立する。
【００２７】
通話が終了した後、サービス制御装置における加入者ＡおよびＢの通話状態（ＬＭ）は非通話中（空き）に設定される。
【００２８】
図２は、本実施形態に係るサービス制御装置の構成例を示す図である。本実施形態に係るサービス制御装置（Ｍ−ＳＣＰ）１０は、制御部１１、送受信部１２、Ｐ−ＨＬＲ（パーソナルＨＬＲ）１３、Ｔ−ＨＬＲ（ターミナルＨＬＲ）１４、およびＧＬＲ（ゲートウェイロケーションレジストリ）を備える。
【００２９】
サービス制御装置１０は、加入者データ（加入者に関する契約情報、呼処理情報等）を蓄積し、ネットワーク６０を介して接続されている他ノードからの問い合わせに応じて応答する機能を有する。本実施形態においては、ＨＬＲ（Ｐ−ＨＬＲ１３およびＴ−ＨＬＲ１４）に自網の加入者に関する加入者および移動機のデータが蓄積される。ＧＬＲ１５には、他網の加入者が自網にローミングしてきた際に加入者データが一時的に蓄積される。Ｐ−ＨＬＲ１３には加入者データが蓄積され、Ｔ−ＨＬＲ１４には移動機情報が蓄積される。制御部１１は、Ｐ−ＨＬＲ１３、Ｔ−ＨＬＲ１４およびＧＬＲ１５にアクセスし、これらのデータ（情報）を変更することができる。
【００３０】
図３は、サービス制御装置が交換機から再開の通知を受けた場合に行う処理を説明するための図である。サービス制御装置１０は、各加入者について、加入者番号、加入者の通話を制御する交換機の識別番号（ＲＮ）、加入者の通話状態（ＬＭ）、およびクリア表示を、Ｐ−ＨＬＲ１３に記憶している。
【００３１】
交換機から再開の通知を受けた場合、サービス制御装置１０の制御部１１は、Ｐ−ＨＬＲ１３にアクセスして、再開した交換機が制御する加入者の通話状態のみを非通話中にする再開時クリア処理を行う。具体的に説明するために、制御部１１が送受信部１２を介して、例えば加入者交換機２０から、再開の通知（ＬＭオールクリアまたは初期設定信号）、および加入者交換機２０の識別番号ＲＮ＝１１１１を受けた場合を考える。制御部１１は、まず全加入者のクリア表示をＯＮに設定する。そして、加入者データを順に調査し、加入者データ上のＲＮが再開した加入者交換機２０のＲＮと一致する場合には、加入者の通話状態（ＬＭ）を非通話中（空）に設定する。調査（および必要な場合には設定）が終了した加入者についてはクリア表示をＯＮからＯＦＦに変更する。
【００３２】
図４は、図３に示すデータに対して再開時クリア処理を途中まで行った状態を示す図である。加入者Ａについては、ＲＮが一致するので、ＬＭを空に設定する。ただし、この場合、ＬＭがもともと空なのでＬＭに対し特に処理を行う必要はない。加入者Ａのクリア表示をＯＮからＯＦＦに変更する。加入者Ｂについては、ＲＮが一致しないので、ＬＭに対し処理を行う必要はない。加入者Ｂのクリア表示をＯＮからＯＦＦに変更する。加入者Ｃについては、ＲＮが一致し、ＬＭが塞になっているので、ＬＭを空に設定する。そして、加入者Ｃのクリア表示をＯＮからＯＦＦに変更する。図４は、加入者Ｃまで再開時クリア処理を行った状態を示す。この再開時クリア処理をすべての加入者について行うことになる。
【００３３】
このように、サービス制御装置１０では、交換機が再開された場合、再開した交換機が制御する加入者の通話状態のみを非通話中にするため、実際の通話状態とサービス制御装置における通話状態との間の整合を図ることができる。
【００３４】
サービス制御装置１０は、交換機の再開により、加入者の通話状態を非通話中にする処理を行っている最中でも、通話要求を受け付けつける。この場合問題となるのは、通話要求があった加入者について、再開した交換機が制御している場合であって、再開時クリア処理を行っていない場合である。通話要求に対する処理を行った後で、再開時クリア処理を行うと不整合を生ずるからである。サービス制御装置１０は、この問題をクリア表示を用いて解決する。
【００３５】
サービス制御装置１０（より具体的には、制御部１１）は、再開時クリア処理の最中に、再開した交換機が制御する、再開時クリア処理を行っていない加入者について通話要求（発信情報読出要求および着信情報読出要求）が発生した場合には、該通話要求を認める旨の応答を行い、該通話要求があった加入者の通話状態を通話中にし、該通話要求があった加入者を一連の再開時クリア処理の対象から外す。
【００３６】
図５は、再開時クリア処理の最中に、再開した交換機が制御する、再開時クリア処理を行っていない加入者について着信情報読出要求が発生した場合の処理例を示す図である。例えば、関門中継交換機（ＭＧＳ）経由でサービス制御装置（Ｍ−ＳＣＰ）１０に着信情報読出要求があると（ステップＳ１１０）、サービス制御装置１０は、着信情報読出要求があった加入者のクリア表示を調べる（ステップＳ１２０）。クリア表示がＯＦＦの場合、再開時クリア処理が行われているので、通常の着信情報読出応答を行う。すなわち、その時のＬＭに従って着信情報読出応答を行う。クリア表示がＯＮの場合、着信情報読出要求があった加入者の通話を制御する交換機のＲＮ（加入者の位置情報）と再開された交換機のＲＮ（再開ＲＮ）とを比較する（ステップＳ１３０）。両者が一致しない場合には、通常の着信情報読出応答を行う。両者が一致する場合には、着信情報読出要求があった加入者のＬＭを塞にする（ステップＳ１３５）。これから通話を行うからである。また、該加入者については、以後、再開時クリア処理を行わないように、クリア表示をＯＦＦにする（ステップＳ１３５）。そして、ＬＭは空であるものとして、関門中継交換機経由で着信情報読出応答する（ステップＳ１４０）。これにより着信を認めることになる。そして、関門中継交換機から加入者交換機（ＭＬＳ）に通信開始信号が送信され（ステップＳ１５０）、加入者交換機は基地局経由で移動機（ＭＳ）の一斉呼出を行う（ステップＳ１６０）。
【００３７】
ここで、再開した交換機（ＲＮ＝１１１１）が制御する、再開時クリア処理を行っていない加入者Ｘについて着信情報読出要求が発生した場合を考える。加入者Ｘの再開時クリア処理はまだ行われていないので、クリア表示はＯＮである。ＬＭは空の場合もあるし、塞の場合もある。加入者Ｘのクリア表示がＯＮなので、ステップＳ１１０の後、ステップＳ１２０からステップＳ１３０に進むことになる。そして、加入者Ｘの通話を制御する交換機のＲＮは再開された交換機のＲＮと一致するので、ステップＳ１３０からＳ１３５に進むことになる。ステップＳ１３５で、加入者ＸのＬＭは塞にされ、クリア表示はＯＦＦにされる。そして、ステップＳ１４０で、加入者ＸのＬＭは空であるものとして、関門中継交換機経由で着信情報読出応答が行われる。
【００３８】
再開時クリア処理の最中に、再開した交換機が制御する、再開時クリア処理を行っていない加入者から発信要求が発生した場合の処理も図５に示す処理と同様である。サービス制御装置１０は、交換機から発信情報読出要求があると（ステップＳ１１０に対応）、クリア表示を調べ（ステップＳ１２０に対応）、ＯＮの場合には、発信要求があった加入者の通話を制御する交換機のＲＮと再開された交換機のＲＮとを比較する（ステップＳ１３０に対応）。両者が一致する場合には、発信要求があった加入者のＬＭを塞にし、クリア表示をＯＦＦにする（ステップＳ１３５に対応）。そして、ＬＭは塞がりであるものとして、加入者交換機に発信情報読出応答を行う（ステップＳ１４０に対応）。
【００３９】
このように、サービス制御装置１０では、再開時クリア処理の最中でも、通話要求を受け付けつけるようにしつつ、実際の通話状態とサービス制御装置における通話状態との間の整合を図っている。
【００４０】
サービス制御装置１０（より具体的には、制御部１１）は、移動機の電源が投入された旨の通知を受けた場合には、その移動機の加入者の通話状態を非通話中にする。電源投入直後の加入者は通話をしていないことから、その加入者の通話状態を非通話中にすることにより、実際の通話状態とサービス制御装置１０における通話状態との間の整合を図るタイミングを拡大するためである。サービス制御装置１０は、電源投入時の認証位置登録要求を受けた場合に、移動機の電源が投入されたものと判断する。
【００４１】
図６は、移動機の電源が投入された場合の処理例を示す図である。移動機（ＭＳ）の電源が投入されると、移動機は基地局経由で加入者交換機（ＭＬＳ）に位置登録要求を行う（ステップＳ２１０）。加入者交換機では、乱数発生処理を行った後（ステップＳ２２０）、移動機に対して認証要求を行う（ステップＳ２３０）。移動機はこれに対して認証応答を行う（ステップＳ２４０）。認証応答を受けると、加入者交換機はサービス制御装置（Ｍ−ＳＣＰ）１０に対し認証位置登録要求を行う（ステップＳ２５０）。この（電源投入時の）認証位置登録要求は、発信時の位置登録要求や通話中の移動による位置情報の変更要求とは区別される。サービス制御装置１０は、発信時の位置登録要求や通話中の移動による位置情報の変更要求の際には、加入者の通話状態を非通話中にする処理を行わない。
【００４２】
サービス制御装置１０は、認証位置登録要求を受けると、認証演算を行い（ステップＳ２６０）、認証に問題がない場合には、位置登録処理を行う（ステップＳ２７０）。そして、位置登録処理を行った加入者の通話状態（ＬＭ）を非通話中（空）にする（ステップＳ２８０）。そして、再開時クリア処理中に認証位置登録要求があった場合を考慮して、クリア表示がＯＮの場合にはこれをＯＦＦにする（ステップＳ２９０、Ｓ３００）。ここで、ＬＭを空にしており、もはや再開時クリア処理でＬＭを空にする必要はないからである。ただし、クリア表示がＯＦＦの場合はＳ３００の処理は行わなくてもよい。
【００４３】
このように、サービス制御装置１０では、移動機の電源が投入された旨の通知を受けた場合には、その移動機の加入者の通話状態を非通話中にし、実際の通話状態とサービス制御装置における通話状態との間の整合を図るタイミングを拡大している。
【００４４】
本実施形態におけるサービス制御装置１０は、再開時クリア処理において再開した交換機が制御する加入者の通話状態のみを非通話中にすること、および再開時クリア処理の最中でも通話要求を受け付けつけることという特徴を有するが、一方の特徴のみを有するようにすることもできる。すなわち、再開時クリア処理において再開した交換機が制御する加入者の通話状態のみを非通話中にするが、再開時クリア処理の最中には通話要求を受け付けないものとすることができる。この場合には上述のクリア表示は不要である。また、再開時クリア処理は従来通り、すべての加入者の通話状態を非通話中にするが、再開時クリア処理の最中でも通話要求を受け付けるものとすることもできる。この場合には再開時クリア処理において、加入者の通話を制御する交換機の情報は不要である。
【図面の簡単な説明】
【００４５】
【図１】本発明の実施形態に係る移動通信システムの例を示す図である。
【図２】本発明の実施形態に係るサービス制御装置の構成例を示す図である。
【図３】サービス制御装置が交換機から再開の通知を受けた場合に行う処理を説明するための図である
【図４】図３に示すデータに対して再開時クリア処理を途中まで行った状態を示す図である。
【図５】再開時クリア処理の最中に、再開した交換機が制御する、再開時クリア処理を行っていない加入者について着信情報読出要求が発生した場合の処理例を示す図である。
【図６】移動機の電源が投入された場合の処理例を示す図である。
【符号の説明】
【００４６】
１０、１０−１、１０−２  サービス制御装置
１１  制御部
１２  送受信部
１３  Ｐ−ＨＬＲ
１４  Ｔ−ＨＬＲ
１５  ＧＬＲ
２０、２０−１、２０−２  加入者交換機
３０  関門中継交換機
４０−１、４０−２  基地局
５０−１、５０−２  移動機
６０  ネットワーク
【図１】
2005051770.tif 000003
【図２】
2005051770.tif 000004
【図３】
2005051770.tif 000005
【図４】
2005051770.tif 000006
【図５】
2005051770.tif 000007
【図６】
2005051770.tif 000008